(57)【要約】  固定装置が、連結部に対する接合手段とそれを物体に接合する２本の同軸ピン（６、７）とを有する枠（１）を含み、これらのピンの少なくとも一方は、それを２つの位置、すなわち、枠（１）の壁から引き込まれた一方の位置と、枠（１）の壁から突出し、これらのピンの他方を受け入れる第２の穴と同軸の物体の穴に嵌入する他方の位置との間で滑動可能にする様態で取り付けられる。この固定装置は、前記滑動するピン（６、７）を常に引込み位置に保持しようとする伸縮性戻し手段（１０、１１）を含み、さらに、カム（１４）に関連し、前記滑動するピン（６、７）を前記他方の位置に変位させる駆動要素（１２）を含む。滑動するピン（６、７）が引込み位置にあるとき、前記ピン（６、７）の内端が互いに当接して、それぞれの表面が、その周囲に前記カム（１４）の位置の末端を受け入れできる空間を設けるようになっている。【選択図】  図２
2007503220.tif 000002
【特許請求の範囲】
【請求項１】
紐帯、特に腕輪（５）の端部を物体、特に腕時計の側（３）に固定するための装置であって、
前記紐帯に連結する手段とそれを前記物体に連結するための２本の同軸ピン（６、７）とを有する枠（１）を含み、これらのピンの少なくとも一方は、２つの位置、すなわち、引き込まれた一方の位置と、前記枠（１）の壁から突出し、前記ピンの他方を受け入れる第２の穴と同軸の前記物体の穴に嵌入する他方の位置との間を滑動するように取り付けられ、
前記滑動するピン（６、７）を常に前記引き込まれた位置に保持しようとする伸縮性戻し手段（１０、１１）を含み、
カム（１４）に関連し、前記滑動するピン（６、７）を前記他方の位置に移動させるための駆動部材（１２）を含み、
前記滑動するピン（６、７）の前記引き込まれた位置では、前記ピン（６、７）の内端が当接しており、それらの表面はそれぞれ、前記カムの一部の端部を受け入れできる空間をそれらの周囲に作成するように成形されており、前記駆動部材（１２）は、前記ピン（６、７）の軸に実質的に直交する前記駆動部材の移動軌跡を画成する案内手段によって前記枠に連結された手動手段であり、前記駆動部材（１２）は、前記軌跡に沿って２つの安定した制限位置、すなわち、前記滑動するピンを釈放する第１の位置と、前記滑動するピンに係合する第２の位置との間で移動可能であり、前記カムの一部は、前記駆動部材（１２）を前記第２の位置へ移動させるように作用する力を、前記滑動するピン（６、７）に作用してそれを前記突出する位置へ移動させる力に変換することを特徴とする装置。
【請求項２】
前記駆動部材は、腕部（１２）の形状を有してその端部の一方によって前記枠（１）に関着され、前記カム（１４）は前記腕部（１２）に対して横向きに延び、後者は前記第１の位置では前記枠（１）から分離され、前記第２の位置ではそれに対接して押し下げられている、請求項１に記載の装置。
【請求項３】
前記駆動部材（１２）は、それを前記滑動するピン（６、７）の前記第２の係合位置に保持する手段を有する、請求項１または請求項２に記載の装置。
【請求項４】
前記カム（１４）は、前記第１の部分（１４ａ）と前記腕部（１２）との間に位置する第２の凹面形状部分（１４ｂ）を含んで、前記伸縮性戻し手段によって前記凹面形状部分の中に押し入れられた前記滑動するピン（６、７）の前記内端を受け入れ、かつ前記腕部（１）を前記押し下げられた位置に保持する手段の役割を果たす、請求項３に記載の装置。
【請求項５】
前記駆動部材（１２）は、前記腕輪付き腕時計を支持する腕に向けられるように意図された、その枠（１）の側面に位置する、請求項１ないし請求項４のいずれかに記載の装置。
【請求項６】
前記枠（１）及び前記駆動部材（１２）の隣接面の１つが親指の爪溝を有する、請求項１ないし請求項５のいずれかに記載の装置。
【発明の詳細な説明】
【技術分野】
【０００１】
本発明は、紐帯、特に腕輪の端部を物体、特に腕時計の側に固定するための装置に関し、この装置は、前記紐帯に連結する手段とそれを前記物体に連結するための２本の同軸ピンとを有する枠を含み、これらのピンの少なくとも一方は、２つの位置、すなわち、引き込まれた一方の位置と、枠の壁から突出し、前記ピンの他方を受け入れる第２の穴と同軸の前記物体の穴に嵌入する他方の位置との間を滑動するように取り付けられ、前記滑動するピンを常に引き込まれた位置に保持しようとする伸縮性戻し手段を含み、さらに、カムに関連し、前記滑動するピンを前記他方の位置に移動させるための駆動部材を含む。
【背景技術】
【０００２】
紐帯、特に腕時計の腕輪を腕時計の側に固定する問題は、既に非常に数多くの解決法の主題となってきた。押しピンを使って固定する最も一般的な方法は、定位置に配置することが相対的に難しく、かつ、適切な道具に加えて、必ずしも腕輪付き腕時計を着ける殆どの人に備わっているわけではない器用さを必要とする。
【０００３】
これが、道具を使わずに腕輪の交換を可能にし、かつ実際に誰でも腕輪を交換できるように、さほどの器用さを必要としない解決法が長い間提案されてきた理由である。
【０００４】
腕時計の腕輪を交換する必要性は、日常生活の幾つかの場面で明白である。このような必要性は、腕輪を活動または装いに合わせようとする単純な欲求から生じ得る。このように、ダイビング・スーツを着用したダイバーが、腕輪の長さまたは腕輪を変えずに、そのスーツに腕時計を着けることは不可能である。腕輪を容易にしかも道具を使わずに交換可能にする固定装置のみが、このように絶えず頻繁に生じる要求に応えることを可能にするのは明白である。
【０００５】
しかしながら、このような装置は、腕輪交換の動作を使用者の誰にでも実行できる範囲内に留める条件に対応するだけでは済まされない。とりわけ、それが簡単でかつ道具なしで着脱可能であれば、腕時計の着用者が気付かずに、腕輪が偶発的に脱着し得る大きな恐れが存在するのが通常であり、これは腕時計が高価な物であればそれだけ受け入れ難いことである。したがって、このような装置は、腕輪の着脱をより簡単にしようとする意図に拘わらず、押しピン式固定機構と同程度の安全性を有することが全く同じように基本であるが、それは滅多に両立するものではない。
【０００６】
欧州特許第８７６１１４号では、カムが、このカムに対してばねによって付勢される２本の滑動ピンの内端と係合する固定装置が提案されている。一実施形態によれば、このカムは、ピンの滑動軸を横切る方向に滑動するように取り付けられ、カム自体がばねによって外向きに付勢されている。このような位置では、カムは、ピンを腕時計の側の突起部の固定穴を有する組立体の位置へ外向きに押し入れる。これらのピンをこれらの穴から釈放するためには、カムを支持する滑動部材に圧力を加えることで十分である。ところで、このような圧力は偶発的である可能性があり、よって腕輪と腕時計とが思いがけなく分離する恐れが生じる。
【０００７】
この同じ文書は、このような恐れを防止する手段を提案する。それらの手段の１つは、円形の押しボタン形状を有し、その回転軸回りに２つの角位置（その一方が軸固定位置に対応する）を取るカム制御装置の具備を可能にすることにある。このカム制御押しボタンの有し得る直径は非常に小さいので、それを道具の補助なしで回転させることが少なくとも問題である。この文書は、回転式制御部材によって制御される回転式カムも提案しているが、この解決法もカムを回転させるためには明らかにねじ回しの使用が必要である。
【０００８】
したがって、従来技術では、完全な手動制御であり、道具を使わず、腕輪と腕時計の側との間でまたは他の任意の紐帯が他の任意の物体に対して偶発的に分離する恐れに対する完全な安全性を備え、すべての必要条件を満足させる得る解決法は存在しないことに留意することができる。
【発明の開示】
【発明が解決しようとする課題】
【０００９】
本発明の目的は、前述の欠点の少なくとも一部を改善することである。
【課題を解決するための手段】
【００１０】
この目的のために、本発明の主題は、特許請求項１に係る、紐帯、特に腕輪の端部を物体、特に腕時計の側に固定するための装置である。
【００１１】
腕輪と側との分離は、カムに関連する駆動腕部が枠から分離する結果であり、したがって駆動腕部の自由端を掴んでその腕部を側から引き離すことが必要であるようになっており、それは特に、有利なことに、駆動腕部が、腕輪の着用者の腕に対接するように意図されている、枠の側面に配置されている場合には偶発的に起こり得ない。したがって、この場合では、制御腕部を本装置の枠から分離した位置に移動させるには、最初に腕輪付き腕時計を外さなければならない。
【００１２】
制御腕部は、結合手段によって枠に対接して押し下げられた位置に保持されていることが好ましい。有利なことに、これらの結合手段は、カムの第１の部分と駆動腕部との間に位置するカムの第２の凹面形状の形態によって配置されてカムのこの凹面形状部分に押し入れられたピンの内端を受け入れ、例えば、腕部と本装置の枠との間に爪を挿入することによって、押入れ位置にある腕部に作用を及ぼす必要があるばかりでなく、制御腕部の結合力に打ち勝つ必要があるようになっている。この目的のために、親指の爪溝が、腕部または枠の隣接面の１つに作成されていることが好ましく、爪をその中に挿入して制御腕部を持ち上げることを可能にする。
【００１３】
添付の図面は、模式的にかつ一実施例として、本発明の主題である、紐帯、特に腕輪の端部を物体、特に腕時計の側に固定するための本装置の一実施形態および一変形を例示する。
【発明を実施するための最良の形態】
【００１４】
図１から４によって例示する本装置は、概ね平行四辺形の形状を有して、その長さが腕時計の側３の突起部２を離隔する間隔の長さに実質的に対応する固定枠１を含む。例示の本実施形態では、固定枠１は、１本の腕輪５の押しピン固定部材４に固着される。金属製の関着鎖式腕輪の場合では、固定部材４が腕輪の隣接連結部を受け入れできる相補的な形状を有するように成形可能あることは明白である。したがって、この実施例では、革製腕輪型の腕輪を受け入れるように成形されている固定部材４は、腕時計の側に連結するように意図されている腕輪に適切な任意の形状を有し得る。このようにして、この固定部材は、連結式腕輪の場合に、この腕輪と嵌合するために腕輪の連結部の形状と少なくとも一部が対応する形状を有することができる。
【００１５】
固定装置自体の機構が図２および３によってさらに詳細に例示されており、これらの図では、それは２つの位置、すなわち、非動作位置および動作位置でそれぞれに示されている。この機構は２本の同軸ピン６、７を含み、それぞれが２つの同軸穴８ａ、９ａ、８ｂ、９ｂの中で滑動自在に取り付けられている。穴８ａ、８ｂは、穴９ａ、９ｂよりも大きな直径を有し、ピン６および７のより大きな直径の後方部分６ａおよび７ａをそれぞれに滑動させるために使用される。一方でピン６、７の後方部分６ａ、７ａに連結する支持表面の間に、他方で穴８ａ、９ａおよび８ｂ、９ｂにそれぞれ連結する支持表面の間に作成された環状空間を使用して、これらの２つの支持表面の間で圧縮され、したがって図２に例示するように、これらの２本のピン６、７の内端を相互に押し付けようとする軸方向の力をそれぞれのピン６、７に及ぼす２本のコイルばね１０および１１をそれぞれに収容する。
【００１６】
腕部１２は、その端部の一方が固定枠１の軸１３回りに関着される。カム１４が、この腕部１２に対して横向きに枠１の方向に延びるが、この枠はそのようなカム１４を通過させる開口１ａを有する。次いで、このカムはピン６、７の２つの内端の間に静止するが、これらのピンは丸い形状を有し、よってそれらが当接しているその中心からその周囲へ増大する空間を作成する。このような形状は、カム１４の端部１４ａをそれらの丸い表面のそれぞれの周囲に接触させる。このような配置のおかげで、力Ｆが腕部１２に対して作用すると、このように腕部に作用する力の一部が２つの逆方向の力Ｆ１、Ｆ２の形態で２本のピン６、７に伝達され、このような２つの力は、戻しばね１０、１１がこれらのピン６、７にそれぞれに及ぼす力に逆らってピン６、７を逆方向に移動させようとするものであり、これらのピンの外端６ｂ、７ｂが固定枠１から突出し、よって腕時計の側３の突起部２の中の対応する穴に貫入し得る図３に例示した位置へ移動させることを可能にして、腕輪５を確実に固定する。
【００１７】
カム１４は、カム１４の端部分１４ａと腕部１２との間に、ピン６、７の丸い内端を受け入れるように意図されている凹面形状の１つの部分１４ｂ（カム１４の断面が円形であれば）または２つの対称的な部分１４ｂ（カム１４の断面が矩形であれば）を有する。このようなカムの第２の部分１４ｂのおかげで、戻しばね１０、１１がカム１４に及ぼす対向力は、ピン６、７によって、腕部１２が枠１から分離するのを阻み、ばねの戻り力のおかげでこの腕部を図３に例示した固定位置に保持する。
【００１８】
当然のことであるが、このように腕部１２を枠１の上に保持する方法が選択されれば、例えば、腕部１２の自由端と枠１の縁部との間で他の結合手段を使用することを妨げるものはない。
【００１９】
しかし、このように腕部１２をピン６、７の係合位置で結合する好ましい方法は、追加的な利点を有することに留意すべきである。長期間の非動作の後で、固定装置のピン６、７は目詰まりによって動かなくなる恐れがある。使用者が、最初にピンを押し込む動きを与えずに、それらを分離状態に維持するカムを単に引き抜くだけであれば、ピンは動かずに留まることになる。カム１４の凹面部分１４ｂは腕部１２を定位置に維持するのを可能にすることに加えて、腕部１２が枠１から分離されるときに、その凹面部分は、ピン６、７を釈放するためにそれらを押し込む動きを与えることも可能にし、それによって次には、戻しばね１０、１１が、別様であれば引っ込むことがないこれらのピン６、７に作用を及ぼすことを可能にする。
【００２０】
腕部１２の開放に対抗する力に打ち勝ち得る力を手先で加えることを可能にするために、親指の爪溝１５（図４）を駆動腕部１２または固定枠１の隣接表面の１つに作成することが好ましい。
【００２１】
既に述べた利点に加えて、以上の実施形態を読むと、本固定装置は腕時計の側または腕輪を改造する必要がないことにも留意されることになろう。ピン６、７が単に通常の押しピンに取って換わるだけであり、腕輪に関しては、本発明に係る固定装置を装備し、したがって腕時計の側に即座に装着されるように出荷されることが好ましい。
【００２２】
枠１の一端に関着された駆動腕部１２は、例えば、変形として、図５に例示するように、固定枠１に固着された相補的な案内要素１８と係合するように意図された案内要素１７によって枠１に取り付けられた駆動部材１７によって取換え可能である。
【００２３】
ピン６、７の一方のみが枠１の中に滑動自在に取り付けられ、他方が枠から突出する位置に固定されている変形（図示せず）も同様に企図され得る。この場合では、このように固定された方のピンを最初に腕時計の側３の突起部の穴の中に嵌め、次いで駆動部材１２によって動作するカム１４によって他方のみを移動させることになる。
【図面の簡単な説明】
【００２４】
【図１】腕時計の側の本装置と腕輪の一部とを示した斜視図である。
【図２】固定ピンの軸に沿って本装置を示した断面図であり、ピンが引込み位置にある。
【図３】図２と同様の同じ断面図であり、ピンが本装置の枠の壁から突出する位置にある。
【図４】本装置のみを示した斜視図である。
【図５】先の実施形態の一変形を示した斜視図である。
【図１】
2007503220.tif 000003
【図２】
2007503220.tif 000004
【図３】
2007503220.tif 000005
【図４】
2007503220.tif 000006
【図５】
2007503220.tif 000007
【国際調査報告】
2007503220.tif 000008
2007503220.tif 000009
2007503220.tif 000010
2007503220.tif 000011